(57)【要約】無線通信システムは、１つ以上の選択された１次局から２次局へのデータパケットの送信のための、複数の１次局（１００ａ、１００ｂ、１００ｃ）との複数の通信チャネル（２２６ａ、２２６ｂ、２２６ｃ）を有する２次局（１１０）を有する。１次局の選択は、複数の測定基準に基づいて実行され、２次局若しくは１次局で実行されるか、又は、１次局と２次局との間で共有して実行されてもよい。複数の測定基準の使用は、改良されたシステム動作を可能にする。１つ以上測定基準の値が、１次局から２次局に送信されてもよく、又はその逆も可能である。測定基準は、それらの値が送信される前に、前処理されるか又は組み合わせられてもよい。測定基準は、また、動的であってもよく、システム動作の予測に部分的に依存してもよい。
2004519903.tif 000002
【特許請求の範囲】
【請求項１】
２次局と複数の１次局との間の通信チャネルを有する無線通信システムであって、前記２次局へのデータの送信のために前記複数の１次局の１つ以上を選択するためのサイト選択手段を更に有するシステムにおいて、前記サイト選択手段は、前記又は各々の選択された１次局を他のデータ送信のために決定するための複数の測定基準に応答する、無線通信システム。
【請求項２】
請求項１に記載のシステムにおいて、前記測定基準の少なくとも１つを動的に決定するための手段が設けられることを特徴とするシステム。
【請求項３】
請求項１又は２に記載のシステムにおいて、前記サイト選択手段が、１次局と前記２次局との間のパス損失と、１次局においてデータ送信のために利用可能な電力と、１次局において利用可能なチャネライゼーションコードと、前記２次局の干渉レベルと、トラフィックローディングと、チャネル品質と、２次局電源条件とのうちの少なくとも１つに応答する、システム。
【請求項４】
無線通信システムで用いられる１次局であって、前記システムは、２次局と複数の１次局との間の通信チャネルを有し、前記システムは前記２次局へのデータの送信のために前記複数の１次局の１つ以上を選択するためのサイト選択手段を更に有し、前記サイト選択手段は、前記又は各々の選択された１次局を他のデータ送信のために決定するための複数の測定基準に応答し、当該１次局は前記サイト選択手段の少なくとも一部を含む、１次局。
【請求項５】
請求項４に記載の１次局において、前記サイト選択手段が、少なくとも１つの測定基準の値に関する情報の信号を前記２次局に送信するための信号送信手段を有することを特徴とする１次局。
【請求項６】
請求項５に記載の１次局において、前記情報が前記２次局に送信される前に少なくとも１つの測定基準に関するデータを前処理するための手段が設けられることを特徴とする１次局。
【請求項７】
請求項５又は６に記載の１次局において、多目的放送チャネルを介して前記信号送信手段により送信されるべき前記測定基準の少なくとも一部の値を送信するための手段が設けられることを特徴とする１次局。
【請求項８】
請求項５乃至７の何れか１項に記載の１次局において、前記システムが測定基準放送チャネルを更に有することと、前記測定基準放送チャネルを介して前記信号送信手段によって送信されるべき前記測定基準の少なくとも一部の値の信号を送信するための手段が設けられることとを特徴とする１次局。
【請求項９】
請求項７又は８に記載の１次局において、放送チャネルを介して送信される測定基準がチャネライゼーションコードの利用可能性に関係することを特徴とする１次局。
【請求項１０】
請求項４に記載の１次局において、前記サイト選択手段が、前記２次局によって送信される少なくとも１つの測定基準の値を受信するための手段を有することを特徴とする１次局。
【請求項１１】
無線通信システムで用いられる２次局であって、前記システムは、前記２次局と複数の１次局との間の通信チャネルを有し、前記システムは前記２次局へのデータの送信のために前記複数の１次局の１つ以上を選択するためのサイト選択手段を更に有し、前記サイト選択手段は、前記又は各々の選択された１次局を他のデータ送信のために決定するための複数の測定基準に応答し、当該２次局は前記サイト選択手段の少なくとも一部を含む、２次局。
【発明の詳細な説明】
【０００１】
【発明の属する技術分野】
本発明は無線通信システムに関し、更に、このようなシステムに用いられる１次局及び２次局に、そして、このようなシステムを動作する方法に、関する。本願明細書は汎用移動通信システム（ＵＭＴＳ）に特に関連したシステムを説明するが、このような技術は他の移動無線システムにおける使用にも等しく適用可能であると理解されるべきである。
【０００２】
【従来の技術】
移動通信の分野において、大きなデータブロックを移動局（ＭＳ）にオンデマンドで適当なレートでダウンロードする能力を持つシステムに対する需要が増大している。このようなデータは、例えば、場合によってはビデオクリップ等を含むインターネットからのウェブページであってもよい。一般的に、特定のＭＳは間欠的にしかこのようなデータを必要としないので、固定帯域幅の専用のリンクは適当でない。ＵＭＴＳのこの要求を満たすために、最高４Ｍｂｐｓで移動局へのパケットデータの転送を容易にすることができる高速ダウンリンクパケットアクセス（ＨＳＤＰＡ）方式が開発されている。
【０００３】
既知の無線通信システムにおいては、一般にＭＳは一時に単一の基地局（ＢＳ）と通信する。ＭＳは、通話中に、例えば該ＭＳがそのＢＳから離れるにつれて通信リンクの品質が悪化するときに、又は、異なったセルの相対的なトラフィックローディングが調整を必要とするときに、他のＢＳへの転送を検討することを望むことがある。１つのＢＳから他のＢＳに移るプロセスはハンドオーバとして知られている。
【０００４】
現在のＵＭＴＳ仕様によって動作しているシステムにおいて、ＭＳは、適当な品質の無線リンクが保持可能であることが期待される「アクティブセット」として知られるＢＳのリストを保持する。ＭＳが専用チャネルモードであり、アクティブセットに複数のＢＳがあると、ＭＳはアクティブセットのＢＳとの「ソフトハンドオーバ」の最中である。このモードにおいてアップリンク送信はアクティブセットの全てのＢＳによって受信され、アクティブセットの全てのＢＳはＭＳに実質的に同じダウンリンク情報を送信する（一般的に、データ及び大部分の制御情報は同じであるが、電源制御コマンドは異なる可能性がある）。この「ソフトハンドオーバ」アプローチの欠点は、アップリンクでは一組の電力制御命令しか送信されず、異なったＢＳからダウンリンクを通じて送信される電力制御コマンドはアップリンク送信電力とは対立する要件を生じさせる可能性があるので、アップリンク及びダウンリンク送信電力が個々の無線リンクの各々に対して最適化されることができないということである。
【０００５】
通常のソフトハンドオーバ手順は、特に、連続的な接続が保持されなければならない音声リンク等のリアルタイムサービスに適している。しかし、パケットデータリンクについては、各データパケットのＭＳへの送信のための最適なＢＳを選択し、無線リンク及びトラフィック条件を動的に変化させるのを可能にすることが有利であるかもしれない。各パケットの送信の直前に最適なＢＳの選択がされると、改良されたシステムスループットが達成可能であり、破壊された状態で受信されるパケット数を最小にして、更に、パケットあたりの全送信電力を最小にする。ここで提案されたように、ダウンリンクパケットの送信のためにどのＢＳサイトが用いられるべきであるかを選択するのに、パス損失及びＳＩＲ（信号対干渉比）等の測定基準（ｍｅｔｒｉｃｓ）が、ＭＳによって用いられることができる。
【０００６】
【発明が解決しようとする課題】
本発明の目的は、改良された高速サイト選択機構を提供することである。
【０００７】
【課題を解決するための手段】
本発明の第１の態様によれば、２次局と複数の１次局との間の通信チャネルを有する無線通信システムであって、前記２次局へのデータの送信のために前記複数の１次局の１つ以上を選択するためのサイト選択手段を更に有するシステムにおいて、前記サイト選択手段は、前記又は各々の選択された１次局を他のデータ送信のために決定するための複数の測定基準に応答する、無線通信システムが提供される。
【０００８】
システム容量は、データ送信のために１つ又は複数の最良の１次局を選択するのに複数の測定基準を用いることにより改良されることができる。この選択は、２次局によって、１次局のうちの１つ以上によって、又は組み合わせられた方法によって、されることができる。１次局によって決定される測定基準は２次局に送信されてもよく、その逆も可能である。測定基準は、現在及び前の情報に基づいた予測値という形をとることができる。
【０００９】
本発明の第２の態様によれば、無線通信システムで用いられる１次局であって、前記システムは、２次局と複数の１次局との間の通信チャネルを有し、前記システムは前記２次局へのデータの送信のために前記複数の１次局の１つ以上を選択するためのサイト選択手段を更に有し、前記サイト選択手段は、前記又は各々の選択された１次局を他のデータ送信のために決定するための複数の測定基準に応答し、当該１次局は前記サイト選択手段の少なくとも一部を含む、１次局が提供される。
【００１０】
本発明の第３の態様によれば、無線通信システムで用いられる２次局であって、前記システムは、前記２次局と複数の１次局との間の通信チャネルを有し、前記システムは前記２次局へのデータの送信のために前記複数の１次局の１つ以上を選択するためのサイト選択手段を更に有し、前記サイト選択手段は、前記又は各々の選択された１次局を他のデータ送信のために決定するための複数の測定基準に応答し、前記サイト選択手段は他のデータ送信のための各選択された１次局を決定するための複数の測定基準に応答し、当該２次局は前記サイト選択手段の少なくとも一部を含む、２次局が提供される。
【００１１】
本発明の第４の態様によれば、２次局と複数の１次局との間の通信チャネルを有するシステムを動作させる方法であって、前記２次局にデータを送信する前記１次局の１つ以上を選択するステップを有し、１次局の前記選択は複数の測定基準に基づく、方法が提供される。
【００１２】
本発明は、複数の測定基準を用いてサイト選択決定をすることにより、データ送信システムの改良された動作が可能になるという、従来技術に存在しない認識に基づく。
【００１３】
【発明の実施の形態】
ここで本発明の実施例が、添付の図面を参照して例示により説明される。
【００１４】
図面において、対応する機能を示すために同じ参照番号が用いられた。
【００１５】
図１を参照すると、無線通信システムは、１次局（ＢＳ）１００及び複数の２次局（ＭＳ）１１０を有する。ＢＳ１００は、マイクロコントローラ（μＣ）１０２と、アンテナ手段１０６に接続されたトランシーバ手段（Ｔｘ／Ｒｘ）１０４と、送信電力レベルを変更する電力制御手段（ＰＣ）１０７と、ＰＳＴＮ又は他の適切なネットワークとの接続のための接続手段１０８とを有する。各ＭＳ１１０は、マイクロコントローラ（μＣ）１１２と、アンテナ手段１１６に接続されたトランシーバ手段（Ｔｘ／Ｒｘ）１１４と、送信電力レベルを変更する電力制御手段（ＰＣ）１１８とを有する。ＢＳ１００からＭＳ１１０への通信がダウンリンクチャネル１２２で起こり、一方で、ＭＳ１１０からＢＳ１００への通信はアップリンクチャネル１２４で起こる。
【００１６】
図２において、ソフトハンドオーバプロセスに関与しているＭＳ１１０が示されており、このＭＳ１１０は３つの二方向通信チャネル２２６ａ，２２６ｂ，２２６ｃを有し、当該通信チャネルの各々は、３つのそれぞれのＢＳ１００ａ，１００ｂ，１００ｃとのアップリンク及びダウンリンクチャネルを有する。所与の時間枠において、ＭＳ１１０はダウンリンクチャネル上でＢＳ１００ａ，１００ｂ，１００ｃの各々から実質的に同じデータを受信して、アップリンクチャネルで各ＢＳに同じデータを送信する。従来のＵＭＴＳシステムにおいては、各ＭＳ１１０は、アクティブセットの各ＢＳ１００ａ，１００ｂ，１００ｃによって個別に決定される電力制御命令を受信するが、全てのＢＳに対して一組しかアップリンク電力制御命令を送信しない。
【００１７】
このようなシステムの変更されたバージョンが、本出願人の同時係属中の未公開の英国特許出願第０１０３７１６．７号（出願人参照番号ＰＨＧＢ０１００２２）において開示されており、ＭＳ１１０は各ＢＳ１００ａ，１００ｂ，１００ｃと並列な電力制御ループを動作する。この変更は、各データパケットがＢＳ１００ａ，１００ｂ，１００ｃのうちの１つからＭＳ１１０に送信されるＨＳＤＰＡに特に役立つ。なぜならこれは、パケットごとに最高のＢＳの選択を可能にするからである。
【００１８】
ＨＳＤＰＡの提案された実施例は、各データパケットの正しい配信を保証するためにＡＲＱ（自動反復要求）技術を用いる。なぜなら正確なデータ送信は、（複数回の再送のため）劣ったチャネル状態の下での低減されたシステムスループットよりも重要であると判断されるからである。本出願人の同時係属中の未公開英国特許出願第０１１１４０７．３号（出願人参照番号ＰＨＧＢ０１００６９）にて開示されるＨＳＤＰＡの実施例において、サイト選択のために信号を送信することとＡＲＱとが、システムのスループット及び効率を改善するために組み合わせられる。ＵＭＴＳのためのＨＳＤＰＡシステムの提案された実施例は、修正されたフレーム構成（標準の１０ｍｓのＵＭＴＳフレームの小さな約数である継続時間を有する）を使用する。パケット継続時間は、フレーム継続時間と同一である。フレーム構成は、どのセルサイト（又はＢＳ１００）が次のパケットの送信のために用いられるべきかをインフラストラクチャに示すための、サイト選択情報のためのデータフィールドを有する。これは一般的に、潜在的に適切であるＢＳ１００ａ，１００ｂ，１００ｃから送信されるダウンリンク共通パイロットチャネルの測定から導かれるＳＩＲ又はパス損失推定に基づく。
【００１９】
しかし、上記で概説した判定基準は、準最適（ｓｕｂ−ｏｐｔｉｍａｌ）であるかもしれない。例えば、ある特定のＢＳ１００が既に完全にロードされている場合、該ＢＳ１００が追加のパケットを送信することは可能でない。
【００２０】
そのため、ＭＳ１１０がそのＢＳ１００を送信サイトとして選択するのは意味がない。サイト選択のために、幅広い判定基準が用いられることができる。例えば、
ＭＳ１１０のエネルギー消費（受信されたビットあたり）を最小にすること、
無線リンク上の平均ビットレート（通常は送信期間に対してのみ平均される）を最大にすること、
平均伝送損失（例えば、最初の送信の開始から最後の再送の終了までの時間平均）を最小にすること、
パケットを送信することから生じることが予想される全干渉を最小にすること、
有効エリアを最大にすること、及び
全システムスループットを最大にすること
である。最初の５つの判定基準は、干渉レベルの何らかの推定が与えられれば、ＭＳ１１０とＢＳ１００ａ，１００ｂ，１００ｃとの間の無線リンクの各々に対して評価されることができる。明らかに最後のものが最も望ましいが、無線リンク又はＭＳ１１０ごとにではなく、全システムについて実験的に導かれることを必要とする可能性が高い。
【００２１】
そのレシーバの消費電力がＭＳ１１０のエネルギー消費の主要な要因である場合、この消費電力は、パケットを正しく受信するためにレシーバがアクティブでなければならない時間（再送を含む）を最小にすることによって最小化することができる。この場合、最初の２つの基準は、事実上同じことであり、再送の数を最小にすることによって満たされるかもしれず又は満たされないかもしれない。送信チャネルのフェーディング特性及び用いられる特定のＡＲＱ方式によって、例えば、幾らかの再送を伴って比較的高いビットレートでデータに送信する方が、再送なしでデータを比較的低いビットレートで送信するよりもよい可能性がある。
【００２２】
サイト選択のために用いられる判定基準は、システムローディングによって変化してもよい。例えば、完全にロードされたシステムでは、干渉の最小化（より高いスループットを可能にする目的）が最も重要な基準であるとみなされるかもしれないが、軽くロードされたシステムでは、遅延又はＭＳ消費電力を最小にすることが合理的である。
【００２３】
上記の判定基準のための値を計算する際に重要な因子の幾つかは、ＢＳ１００ａ，１００ｂ，１００ｃの各々（又はＵＭＴＳシステムのノードＢ）に対して、
ＢＳ１００ａ，１００ｂ，１００ｃからＭＳ１１０までのパス損失（他のチャネルについて同じＭＳ１１０までで要求される送信電力から推定可能）、
ＢＳにおいてＨＳＤＰＡのために利用可能な電力、
ＢＳにおいてＨＳＤＰＡのために利用可能なチャネライゼーションコード空間、
ＭＳ１１０の干渉レベル、
トラフィックローディング、
チャネル品質（例えばＭＩＭＯ（多入力多出力）技術を用いて複数のパスをサポートする能力）、
ＭＳの位置（ＢＳ１００ａ，１００ｂ，１００ｃがビーム形成技術を用いるセル内）、及び
ＭＳ電源条件（例えばバッテリ状態）
である。上記のものは動的な（時間変化）量であり、従って、これらを次のパケットが送信されるフレームについて予測することが望ましいかもしれない。
【００２４】
動的パラメータに加えて、種々の静的パラメータが重要である。これらは、ＭＳ１１０の機能（例えばＡＲＱのためのバッファ空間、復号化、復調）及びネットワーク（又はＢＳ１００ａ，１００ｂ，１００ｃ）の機能（例えばＡＲＱのためのバッファ空間、復号化、変調）を含む。
【００２５】
通話期間に亘って一定な、重要な準静的パラメータ（例えば遅延及びエラーレート等のアプリケーション要件）もあるかもしれない。
【００２６】
一般に、ＭＳ１１０がサイト選択決定をしているときには、ＢＳ１００が、ＭＳ１００が必要とするが測定することができない測定基準の値の信号をＭＳ１１０に送ることが望ましい。同様に、ＢＳが決定をしているときに、ＭＳ１１０は、ＢＳ１００に測定基準の情報を送信することができる。測定基準の組合せの一部は、これらを信号送信する前に組み合わせることによって前処理されてもよい。例えば、ＢＳ１００はＭＳ１１０に現在ＨＳＤＰＡで利用可能である最大ビットレート（電力、チャネライゼーションコード及びＭＳ／ＢＳの組合せの変調能力に依存する）を知らせてもよい。複数のＭＳ１１０に適用可能な測定基準の値は、各ＭＳ１１０に個別に送信される代わりに、放送チャネルに送信されてもよい。
【００２７】
ＭＳ１１０及びＢＳ１００によって共同の決定がされてもよい。１つの例は、ＭＳ１１０がＢＳ１００に複数の候補サイトを送信し、ネットワークがこれらの間で選択をするというものである。これは、一般的にＢＳ１００ａ，１００ｂ，１００ｃの間の信号送信を必要とする。
【００２８】
上記した可能性が、ここで、ＵＭＴＳにおけるＨＳＤＰＡのサポートに関する実施例に適用される。
【００２９】
第１の方式において、ＭＳ１１０でサイト選択決定がされる。既知のＵＭＴＳシステムが、各ＢＳ１００ａ，１００ｂ，１００ｃのＢＣＨ（放送チャネル）に関する何らかの新しい情報（一般的にゆっくり変化する）を放送することによって修正される。この情報は、以下を含んでよい：
ＢＳ１００ａ，１００ｂ，１００ｃの変調機能（例えばそれが、通常のＱＰＳＫに加えて１６−ＱＡＭ及び／又は６４−ＱＡＭをサポートするかどうか）。
ＣＰＩＣＨ（共通パイロットチャネル）の電力に対して、ＢＳがＨＳＤＰＡのために現在用いることができる最大電力。例えば、電力の１０％がＣＰＩＣＨに割り当てられる場合、最高８０％がＨＳＤＰＡに割り当てられてもよく、放送率は「８」である。
ＢＳ１００ａ，１００ｂ，１００ｃが現在ＨＳＤＰＡに割り当てることができる最大チャネライゼーションコード空間。これは、潜在的に利用可能なチャネライゼーションコードを識別する。
【００３０】
上記のものに加えて、追加の新しい情報（一般的に速く変化する）もまた、追加の物理層チャネル上に放送され、これは「ＨＳＤＰＡ利用可能性インジケータチャネル」（ＨＡＩＣＨ）として知られており、本出願人の国際特許出願公開第ＷＯ ０１／１０１５８号にて開示したようなＣＳＩＣＨ（ＣＰＣＨ状況インジケータチャネル）と類似していてよい。この実施例において、放送情報は、ＨＳＤＰＡチャネライゼーションコードの利用可能性を示す。一般にＨＡＩＣＨは、利用可能なチャネライゼーションコードの数（又は予測された数）を示す多値信号であってよい。ＨＡＩＣＨ信号が、ＢＣＨに送信されるチャネライゼーションコードの部分的な利用可能性を示す場合、シグナリングビットの数は低減されることができる。最も単純な場合において、ＨＡＩＣＨは、関連するＢＳ１００ａ，１００ｂ，１００ｃが予備容量を有するかどうかを示すバイナリフラグであってよい。この最後の場合において、チャネライゼーションコードに関するＢＣＨの情報は、どのコードが伝送のために用いられてよいかについてを単に特定する。
【００３１】
この情報は、ＭＳ１１０が、ＢＳ１００ａ，１００ｂ，１００ｃが提供することができる最大ビットレート（最大電力が利用可能と仮定したとき）を導くことを可能にする。
【００３２】
ＭＳ１１０は、より高次の層の信号送信により、選択可能なＢＳの組１００ａ，１００ｂ，１００ｃのメンバーを通知されているべきである。次に、ＭＳ１１０はサイト選択をする。選択基準が最大の可能なビットレートに基づく場合、これは、各ＢＳについて以下の測定基準の一部又は全体から計算可能である。
測定されたＣＰＩＣＨ電力、
（ＢＣＨから）利用可能な現在の最大ＨＳＤＰＡ電力、
（ＢＣＨから）利用可能な変調／符号化方式の組、
（ＨＡＩＣＨ及びＢＣＨから利用可能なコード空間から）利用可能なチャネライゼーションコードの数、及び
測定された合計雑音電力（他のＢＳからの干渉を含む）
である。
【００３３】
最大有効電力が用いられており、チャネル特性（例えばフェーディング特性）についての何らかの知識が利用可能であると仮定した場合、各変調／符号化方式及び利用可能なチャネライゼーションコードの数に対してビットエラー率が計算可能である。
これは、パケット失敗率及び正常にパケットを送信するために必要な時間（再送を含む）の推定につながる。これらの目的のために、ビットレートは、全必要伝送期間についての平均時間によって除算される、パケット中で送信されるビットの数である。最後に、最も高い利用可能なビットレートを有するＢＳ１００ａ，１００ｂ，１００ｃが選択され、そのＩＤがＢＳ１００に送信される。これは、例えば本出願人の出願中の未公開の英国特許出願第０１１１４０７．３号（出願人参照番号ＰＨＧＢ０１００６９）にて開示したような物理層によって、又はより高次の層の信号によって、行われることができる。
【００３４】
関連したＢＳは、ＨＳＤＰＡ所有者のセットアップ／稼動の間、ＭＳ１１０の機能（復調機能を含む）について知らされているべきである。従ってここで、ＭＳ１１０に対するパケット送信が（選択されたＢＳ１００ａ，１００ｂ，１００ｃから、又は、場合によってはネットワークによって選択される他のＢＳから）スケジューリングされることができる。
【００３５】
第２の方式は、ＨＡＩＣＨが、実際に利用可能である（又は利用可能であると期待される）ＢＣＨに送信される最大可能電力の割合を示すということ以外は第１の方式と類似している。この場合、選択は、速く更新される最大電力の値と、より遅く更新される利用可能なチャネライゼーションコードの値とに基づく。他の変形例としては、ＨＡＩＣＨが電力及びコードの両方の利用可能性に関する情報を運ぶことが可能である。
【００３６】
第３の方式において、ＭＳ１１０は、ＢＣＨに関するあらゆる関連した情報であってＨＡＩＣＨ上で送信される情報を使用して、各ＢＳ１００ａ，１００ｂ，１００ｃに対する何らかの比較測定基準（例えば最大可能ビットレート）を導出する。次にこの測定基準はＢＳに送信されることができ、ＢＳは、（場合によってはＢＳが知っている他の測定基準と組み合わせた後に）サイトを選択する決定をする。
【００３７】
あるいは、ＭＳ１１０の実行の複雑性を低減する可能性として、ＭＳは各ＢＳ１００ａ，１００ｂ，１００ｃからのＣＰＩＣＨの電力を測定して、それをＢＳに送信することができる。次に、ネットワークは、どのサイトからパケットが送信されるかについて決定することができる。
【００３８】
スケジューリングプロセスの一部として、ネットワークは更に、変調／符号化方式と、用いられるべき１つ以上のチャネライゼーションコードと、電力レベルとを選択することを必要とする。これは、送信された測定に基づいて、又は、電力制御情報を用いて、行われることができる。データフォーマットは、ダウンリンク制御チャネル上のＴＦＣＩによって示されることができる。
【００３９】
上記した実施例はＵＭＴＳ  ＦＤＤシステムに関するが、本発明はこのようなシステムにおける使用に制限されるものではなく、例えばＴＤＤ（時分割複信）を含む広範囲のシステムに適用されることができる。
【００４０】
実際には、ＢＳ選択が再び実行される前に送信されるデータ量は、送信するＢＳの変化のシステムオーバヘッドに従って、複数のパケットであってもよい。
【００４１】
上記した実施例において、データチャネルは一度に１つのＢＳからＭＳ１１０まで送信される。しかし、データチャネルが複数のＢＳから同時に送信されることは、一部の状況において有利かもしれない。例えば３つのＢＳ１００ａ，１００ｂ，１００ｃが閉ループ電源制御の下にある状況で、ＢＳのうちの２つが等しく良いリンク特性を提供し、好ましくは類似した送信電力を有する場合、１つ又は複数のデータパケットは、これらの２つの基地局から平行して（ハンドオーバの最中の送信と類似した態様で）送信される。
【００４２】
上記した実施例の変形例において、１次局と２次局との間に複数のデータリンクがあってもよい。例えば、本発明は、異なった周波数での無線リンク間の選択に（これらの無線リンクが同じ局の対の間であっても）適用可能であり、又は、異なったアンテナを用いた無線リンクに適用可能である。サイト選択において用いられるのと同様に、上記した測定基準は、ダウンリンク送信（例えば変調コード方式の選択及びチャネル資源の割当て）の特性の決定において用いられることができる。
【００４３】
上記の説明は、本発明に関する様々な役割を遂行するＢＳ１００に関するものであった。実際には、これらのタスクは、固定インフラストラクチャの様々な部分の責務であってもよい。例えば、ＭＳ１１０と直接インターフェースしている固定インフラストラクチャの、又は、無線ネットワークコントローラ（ＲＮＣ）のより高いレベルの部分である、「ノードＢ」である。従って、この明細書において、用語「基地局」又は「１次局」の使用は、本発明の実施例が伴うネットワーク固定インフラストラクチャの一部を含むと理解される。
【００４４】
本開示を読むことにより、他の変形例が、当業者にとって明らかになるであろう。このような変形例は、アンテナ装置及びその構成要素の、既知の、設計、製造及び使用に関する他の特徴と関連していてよく、これらの特徴は、ここで説明された特徴に代わって、又は追加して、使用することができる。
【００４５】
本発明や請求項において、要素の前に付した「１つの（ａ又はａｎ）」という単語は、その要素が複数あることを排除するものではない。更に、「有する（ｃｏｍｐｒｉｓｉｎｇ）」という単語は、記載された以外の要素又はステップの存在を排除するものではない。
【図面の簡単な説明】
【図１】無線通信システムのブロック略図である。
【図２】ソフトハンドオーバプロセス中のＭＳを有する無線通信システムのブロック略図である。
【国際公開パンフレット】
2004519903.tif 000003
2004519903.tif 000004
2004519903.tif 000005
2004519903.tif 000006
2004519903.tif 000007
2004519903.tif 000008
2004519903.tif 000009
2004519903.tif 000010
2004519903.tif 000011
2004519903.tif 000012
2004519903.tif 000013
2004519903.tif 000014
2004519903.tif 000015
2004519903.tif 000016
2004519903.tif 000017
【国際調査報告】
2004519903.tif 000018
2004519903.tif 000019